(57)【要約】【課題】  脱血孔の閉塞を防ぐため、体外循環実施時にカテーテルを回転させる際に、脱血用ルーメンあるいは脱血孔の血管内での位置を容易に認識することができるマルチルーメンカテーテルを提供する。【解決手段】  少なくとも脱血用ルーメンと返血用ルーメンからなり、先端部に脱血用ルーメンに通じる脱血孔と返血用ルーメンに通じる返血孔が設けられたカテーテル本体１と、カテーテル本体１の基端部で各ルーメンと接続する独立した枝管３，４と、該カテーテル本体１と該枝管３，４とを分岐状に接続するための連接部２とから構成されるマルチルーメンカテーテルにおいて、体内に留置したときの体外部に脱血孔の位置を識別するための標識７を側面に設けたことを特徴とするマルチルーメンカテーテル。【選択図】  図１
0003103872.tif 000002
【実用新案登録請求の範囲】
【請求項１】
少なくとも脱血用ルーメンと返血用ルーメンからなり、先端部に脱血用ルーメンに通じる脱血孔と返血用ルーメンに通じる返血孔が設けられたカテーテル本体と、カテーテル本体の基端部で各ルーメンと接続する独立した枝管と、該カテーテル本体と該枝管とを分岐状に接続するための連接部とから構成されるマルチルーメンカテーテルにおいて、体内に留置したときの体外部に脱血孔の位置を識別するための標識を側面に設けたことを特徴とするマルチルーメンカテーテル。
【請求項２】
標識が、連接部の脱血用ルーメン側の側面に設けられたことを特徴とする請求項１記載のマルチルーメンカテーテル。
【請求項３】
標識が、脱血用ルーメンに通じる枝管の外側面に設けられたことを特徴とする請求項１記載のマルチルーメンカテーテル。
【請求項４】
標識が、カテーテル本体の脱血ルーメン側の側面に設けられたことを特徴とする請求項１記載のマルチルーメンカテーテル。
【考案の詳細な説明】
【技術分野】
【０００１】
本考案は、医療分野で利用されるカテーテルに関するものであり、さらに詳しくは体外循環用に使用されるマルチルーメンカテーテルに関するものである。
【背景技術】
【０００２】
図８に、主として患者に挿入留置するカテーテル本体1が二つの内腔を有し、その後端部側の基部に連結部２を介してカテーテル本体の各別の内腔が一方ずつ連通せしめられている２本の枝管３，４とからなり、枝管３，４の先には体外循環回路や輸液回路等へ接続するためのアダプター５を備えたダブルルーメンカテーテルを示している。
【０００３】
マルチルーメンカテーテルには、上記のダブルルーメンカテーテルの他にも、カテーテル本体が３つの内腔を有し、連接部を介し３本の枝管に接続されたトリプルルーメンカテーテルや、内腔が４つ以上で枝管が４つ以上のカテーテルもあり、体外循環用に使用するカテーテルとしては通常は２つの内腔を有するカテーテルを備えたダブルルーメンカテーテルが最も多く使用されている。
【０００４】
このようなマルチルーメンカテーテルを用いて体外循環を実施するために、マルチルーメンカテーテルを内頸静脈、鎖骨下静脈、大腿静脈などに留置して仰向けの状態で使用する場合、脱血側ルーメンが留置血管の下側の血管壁に向いていると自重により垂れ下がり、さらにこの状態のまま体外循環を行うと吸引圧力が掛かるため、脱血孔が血管内壁にへばりつき脱血不良が生じ易い。このため、体外循環実施時にはカテーテルを回転させて脱血側のルーメンが留置血管の上側の血管壁に向くように回転させる必要がある。
【０００５】
従来、このようなマルチルーメンカテーテルの脱返血側の判別には、図８に示したアダプター５が色分けされていたり、クランプ６が色分けされていたり、また図７に示すように枝管３，４の上面に印字などされていたりして判別できるようになっていた（例えば、非特許文献１参照）。
【非特許文献１】「ユニチカ  ウロキナーゼ固定化抗血栓性ブラッドアクセスＵＫカテーテル  カタログ」ユニチカ株式会社、２００２年７月、ｐ．４
【考案の開示】
【考案が解決しようとする課題】
【０００６】
このような場合、カテーテルの回転は連接部を把持して行うことが多いため、アダプター５やクランプ６は連接部２の極近傍にないため識別しづらく、間違いやすいという問題があった。また、印字は連接部の極近傍にある場合があるが、連接部の側面には印字がないため同様に識別し難いという問題があった。例えば、図７に示したような枝管の上面に印字されている場合には、連接部平面を手の指で挟むことにより印字が隠れてしまい見辛くなっていた。
【０００７】
本考案は、脱血孔の閉塞や脱血流量低下を防ぐため、体外循環実施時にカテーテルを回転させる際に、脱血用ルーメンあるいは脱血孔の血管内での位置を容易に認識することができるマルチルーメンカテーテルを提供することを目的とする。
【課題を解決するための手段】
【０００８】
本考案者は、上記の課題を解決するため鋭意検討した結果、脱血用ルーメンを識別するための標識の位置を工夫することにより解決できることを見出し、本考案に到達した。
【０００９】
すなわち、本考案は、少なくとも脱血用ルーメンと返血用ルーメンからなり、先端部に脱血用ルーメンに通じる脱血孔と返血用ルーメンに通じる返血孔が設けられたカテーテル本体と、カテーテル本体の基端部で各ルーメンと接続する独立した枝管と、該カテーテル本体と該枝管とを分岐状に接続するための連接部とから構成されるマルチルーメンカテーテルにおいて、体内に留置したときの体外部に脱血孔の位置を識別するための標識を側面に設けたことを特徴とするマルチルーメンカテーテルを要旨とするものであり、好ましくは、標識が、連接部の脱血用ルーメン側の側面、脱血用ルーメンに通じる枝管の外側面又はカテーテル本体の脱血ルーメン側の側面に設けられたマルチルーメンカテーテルである。
【考案の効果】
【００１０】
本考案によれば、マルチルーメンカテーテルの連接部を把持しカテーテルを回転させると脱血孔側の標識が側面にあるため容易に判別が可能となり脱血孔の血管へのへばり付きに起因する流量トラブルを回避することができる。
【考案を実施するための最良の形態】
【００１１】
本考案におけるマルチルーメンカテーテルは、図８に示したダブルルーメンカテーテルや、カテーテル本体が３つの内腔を有し、連接部を介し３本の枝管に接続されたトリプルルーメンカテーテルや、内腔が４つ以上で枝管が４つ以上のカテーテルを含むものである。
【００１２】
側孔の形状は図８に示したような、長手方向に垂直に開いているエンドホールタイプやカテーテルの側面に開けたサイドバイサイドなどのものがあるが本考案では側孔の形状はいかなる形状での組合せでもよい。
【００１３】
本考案でいう標識とは、着色した矢印のような他と識別し得るマークであってもよいし、また突起のような形態的に特徴を持たせて識別し得るようなものであってもよい。
【００１４】
本考案で標識として設けるマークとしては、印刷によりインクを塗布してマークする方法や、インクをスタンプやハケ等でスポット的に塗布する方法や、凹凸による標識が挙げられる。印刷による標識の場合、印刷に用いるインクは使用に際して、容易に脱離しないものであればいかなる着色剤を用いてもよく、色も肉眼で容易に識別することができるものであればいかなる色でも構わない。また、着色剤に硫酸バリウム、タングステン酸ビスマス、酸化ビスマス等の造影剤が含まれていてもよい。
【００１５】
本考案において、標識を設ける場所は、図１に示したように連接部の脱血用ルーメン側の側面や、図３に示したように脱血用ルーメンに通じる枝管の外側面、あるいは図２に示したようにカテーテル本体の脱血ルーメン側の側面などが挙げられる。
【００１６】
また、図４は、連接部の脱血用ルーメン側の側面に突起を設けた例である。さらに、図５、６に示したように複数の標識を設けてもよい。また従来の技術としてある図７などの標識と本考案を組合せて使用してもよい。
【実施例】
【００１７】
以下、本考案を図示の実施例に従って詳細に説明する。
【００１８】
本考案実施例における連接部近傍の平面図及び左右側面図を図１〜６に示した。
実施例１
本実施例は、連接部２の脱血用ルーメン側の側面（図１（ａ））に黒色の矢印７を付けた例である。
実施例２
本実施例は、カテーテル本体１の脱血用ルーメン側の側面（図２（ａ））に黒色の矢印７を付けた例である。
実施例３
本実施例は、脱血側枝管３の外側側面（図３（ａ））に黒色の矢印7を付けた例である。
実施例４
本実施例は、連接部２の脱血用ルーメン側の側面（図４（ａ））に円弧状の突起物８を設けた例である。
実施例５
本実施例は、連接部２の脱血用ルーメン側の側面に円弧状の突起物８、カテーテル本体１の脱血用ルーメン側の側面および脱血側枝管３の外側側面の３箇所（図５（ａ））に黒色の矢印7を付けた例である。
実施例６
本実施例は、連接部２の脱血用ルーメン側の側面、カテーテル本体１の脱血用ルーメン側の側面および脱血側枝管３の外側側面の３箇所（図６（ａ））に黒色の矢印7を付けた例である。
【図面の簡単な説明】
【００１９】
【図１】本考案のマルチルーメンカテーテルの一実施態様の連接部付近を拡大した平面図（ｂ）、左側面図（ａ）及び右側面図（ｃ）を示した図である。
【図２】本考案のマルチルーメンカテーテルの他の実施態様の連接部付近を拡大した平面図（ｂ）、左側面図（ａ）及び右側面図（ｃ）を示した図である。
【図３】本考案のマルチルーメンカテーテルの他の実施態様の連接部付近を拡大した平面図（ｂ）、左側面図（ａ）及び右側面図（ｃ）を示した図である。
【図４】本考案のマルチルーメンカテーテルの他の実施態様の連接部付近を拡大した平面図（ｂ）、左側面図（ａ）及び右側面図（ｃ）を示した図である
【図５】本考案のマルチルーメンカテーテルの他の実施態様の連接部付近を拡大した平面図（ｂ）、左側面図（ａ）及び右側面図（ｃ）を示した図である。
【図６】本考案のマルチルーメンカテーテルの他の実施態様の連接部付近を拡大した平面図（ｂ）、左側面図（ａ）及び右側面図（ｃ）を示した図である。
【図７】従来のマルチルーメンカテーテルの連接部付近を拡大した平面図（ｂ）、左側面図（ａ）及び右側面図（ｃ）を示した図である。
【図８】一般のダブルルーメンカテーテル全体外観を示す平面図である。
【符号の説明】
【００２０】
１  カテーテル本体
２  連接部
３  脱血側枝管
４  返血側枝管
５  アダプター
６  クランプ
７  マーク
８  突起
９  脱血孔
１０  返血孔
【図１】
0003103872.tif 000003
【図２】
0003103872.tif 000004
【図３】
0003103872.tif 000005
【図４】
0003103872.tif 000006
【図５】
0003103872.tif 000007
【図６】
0003103872.tif 000008
【図７】
0003103872.tif 000009
【図８】
0003103872.tif 000010